(57)【要約】【課題】延長管の先端パイプ側に隙間ノズルなどの付属品を係止する被係止体を延長管の係止体に係止する時の誘い形状を構成し、被係止体を係止体に係止しやすく、使用性に優れた電気掃除機を提供する。【解決手段】集塵室の吸気口部に接続される本体接続部を有するホース８、延長管１３などを有した電気掃除機において、前記ホース８の先端パイプ１４と接続する延長管１３の先端パイプ側に付属品などを係止する係止体１８と前記係止体に係止される被係止体１９を有する部品を具備し、前記係止体上方に被係止体の幅よりも少し大きな幅を有する凸部１４Ａを形成した。【選択図】図３
2007021059.tif 000002
【特許請求の範囲】
【請求項１】
吸引力を発生する電動送風機と前記電動送風機の吸気上流に配設され塵埃を捕集する集塵室を有する本体と、前記集塵室の吸気口部に接続される本体接続部を有するホース、延長管などを有した電気掃除機において前記ホースの先端パイプと接続する延長管の先端パイプ側に付属品などを係止する係止体と前記係止体に係止される被係止体を有する部品を具備し、前記係止体上方に被係止体の幅よりも少し大きな幅を有する凸部を形成したことを特徴とする電気掃除機。
【請求項２】
吸引力を発生する電動送風機と前記電動送風機の吸気上流に配設され塵埃を捕集する集塵室を有する本体と、前記集塵室の吸気口部に接続される本体接続部を有するホース、延長管などを有した電気掃除機において前記ホースの先端パイプと接続する延長管の先端パイプ側に付属品などを係止する係止体と前記係止体に係止される被係止体を有する部品とパイプ部材と該パイプ部材の軸方向に対して回動自在で、かつ前記パイプ部材の外周又は一部に配設された吸口部材と、該吸口部材を前記パイプ部材の軸方向に対して回転方向に附勢する弾性体と前記吸口部材がパイプ部材の軸方向に対して一定の角度を有して回動突出した位置まで回動する手段とパイプ部材の軸方向に対して略平行な位置に保持する手段を有した吸込具を具備し、前記パイプ部材の延長管接続側に前記被係止体の幅よりも少し大きな幅を有する凸部を形成したことを特徴とする電気掃除機。
【請求項３】
エラストマー、ゴム、塩化ビニルなどの軟質材にて凸部を形成したことを特徴とする請求項１または２に記載の電気掃除機。
【請求項４】
延長管に形成した係止体上面と凸部下面との隙間を被係止体の係止代よりも小さくしたことを特徴とする請求項１〜３のいずれか１項に記載の電気掃除機。
【請求項５】
被係止体の被係止面の一部を下部から上方に向かって徐々に突出するように構成したことを特徴とする請求項１〜４記載のいずれか１項に記載の電気掃除機。
【発明の詳細な説明】
【技術分野】
【０００１】
本発明は、付属品を延長管などに係止する構成を有した電気掃除機に関するものである。
【背景技術】
【０００２】
従来のこの種の電気掃除機は、延長管の先端パイプ側に隙間ノズルなどの付属品を係止手段によって保持していた。また、収納状態にてたるんだホースを収納するために係止手段によって同様に延長管の先端パイプ側に係止手段によって保持する構成が一般的であった（例えば、特許文献１参照）。
【特許文献１】特開２００３−２３０５１１号公報
【発明の開示】
【発明が解決しようとする課題】
【０００３】
しかしながら、上記構成では、被係止体を延長管の係止体に係止する時の誘いがないため、被係止体を係止体に係止するのが困難であった。
【０００４】
本発明は上記課題を解決するもので、被係止体を延長管の係止体に係止する時の誘い形状を構成し、被係止体を係止体に係止しやすく、使用性に優れた電気掃除機を提供することを目的とするものである。
【課題を解決するための手段】
【０００５】
上記従来の課題を解決するために本発明は、吸引力を発生する電動送風機と前記電動送風機の吸気上流に配設され塵埃を捕集する集塵室を有する本体と、前記集塵室の吸気口部に接続される本体接続部を有するホース、延長管などを有した電気掃除機において前記ホースの先端パイプと接続する延長管の先端パイプ側に付属品などを係止する係止体と前記係止体に係止される被係止体を有する部品を具備し、前記係止体上方に被係止体の幅よりも少し大きな幅を有する凸部を形成したことにより、被係止体を係止体に係止する時に前記凸部間の幅が被係止体の幅よりも少し大きく設定されているため、凸部間に被係止体を入れることによって被係止体が係止体に係止しやすくなり、使用性に優れた電気掃除機を提供することを目的とするものである。
【発明の効果】
【０００６】
本発明は凸部間に被係止体を入れることによって被係止体が係止体に係止しやすくなり、使用性の向上が図れるものである。
【発明を実施するための最良の形態】
【０００７】
第１の発明は、吸引力を発生する電動送風機と前記電動送風機の吸気上流に配設され塵埃を捕集する集塵室を有する本体と、前記集塵室の吸気口部に接続される本体接続部を有するホース、延長管などを有した電気掃除機において前記ホースの先端パイプと接続する延長管の先端パイプ側に付属品などを係止する係止体と前記係止体に係止される被係止体を有する部品を具備し、前記係止体上方に被係止体の幅よりも少し大きな幅を有する凸部を形成したもので、被係止体を係止体に係止する時に前記凸部間の幅が被係止体の幅よりも少し大きく設定されているため、凸部間に被係止体を入れることによって被係止体が係止体に係止しやすくなり、使用性に優れた電気掃除機を提供できるものである。
【０００８】
第２の発明は、吸引力を発生する電動送風機と前記電動送風機の吸気上流に配設され塵埃を捕集する集塵室を有する本体と、前記集塵室の吸気口部に接続される本体接続部を有するホース、延長管などを有した電気掃除機において前記ホースの先端パイプと接続する延長管の先端パイプ側に付属品などを係止する係止体と前記係止体に係止される被係止体を有する部品とパイプ部材と該パイプ部材の軸方向に対して回動自在で、かつ前記パイプ部材の外周又は一部に配設された吸口部材と、該吸口部材を前記パイプ部材の軸方向に対して回転方向に附勢する弾性体と前記吸口部材がパイプ部材の軸方向に対して一定の角度を有して回動突出した位置まで回動する手段とパイプ部材の軸方向に対して略平行な位置に保持する手段を有した吸込具を具備し、前記パイプ部材の延長管接続側に前記被係止体の幅よりも少し大きな幅を有する凸部を形成したもので、被係止体を係止体に係止する時に前記凸部間の幅が被係止体の幅よりも少し大きく設定されているため、凸部間に被係止体を入れることによって被係止体が係止体に係止しやすくなり、使用性の向上が図れるとともに延長管などを取外すと吸込部材がパイプ部材の軸方向に対して一定の角度を有して回動突出した位置まで回動すて直ぐに使用状態となる吸込具を有しているため、さらに使用性に優れた電気掃除機を提供でき、使い勝手が非常に良いものである。
【０００９】
第３の発明は、エラストマー、ゴム、塩化ビニルなどの軟質材にて凸部を形成したもので先端パイプでの使用や吸込具での使用の際に軟質材の凸部形状が被掃除面に当たるため、被掃除面を傷つけることなく、また、先端パイプ、吸込具の保護が行えるものである。
【００１０】
第４の発明は、延長管に形成した係止体上面と凸部下面との隙間を被係止体の係止代よりも小さくしたもので、凸部による被係止体の位置決めをしながら係止体への係止が行え、確実に被係止体の係止体への挿入が行えるものである。
【００１１】
第５の発明は、被係止体の被係止面の一部を下部から上方に向かって徐々に突出するように構成したもので、被係止体を傾けた状態で係止体への挿入が可能となり、係止体への被係止体の挿入角度が大きく取れるため、被係止体の装入性の向上が図れるものである。
【００１２】
以下、本発明の実施の形態について、図面を参照しながら説明する。なお、この実施の形態によりこの発明が限定されるものではない。
【００１３】
（実施の形態１）
本発明の第１の実施の形態について、図１〜図４を用いて説明する。
【００１４】
１は前側に塵埃を集積する集塵袋２を配置した集塵室３、後方に塵埃吸引用のモーター４などを有する本体下であり、前部の集塵袋２上方を覆う蓋体５で集塵室３を形成するとともに後部モーター４などを配置した上方を本体上６で覆い、電気掃除機本体（以下、本体という）７を構成している。８は一端に本体７前部に構成した集塵室３に連通し、モーター４の吸引力による吸い込み通路を形成するフロントカバー９の吸気口１０に接続する接続パイプ１１を有するとともに他端に使用時に握って操作する把手１２を形成し、かつ、延長管１３を接続する先端パイプ１４を有するホースである。床面の塵埃を効率的に捕集する床用吸込具１５を延長管１３の先端に着脱自在に接続して用いる。１６は本体７を持ち運びする時に握るサゲテであり、１７は本体下１の前部底面に配設したキャスターローラー（図示せず）とともに使用時に本体７を移動させるローラーであり、本体下１の後部両側面に配設されている。
【００１５】
延長管１３の先端パイプ１４側下部には下方に突出した係止体１８を左右に突出したリブで形成された係止部１８Ａを有して配置している。また、係止体１８の底面にはストッパーとしての壁体１８Ｂを形成している。１９は前記係止体１８の係止部１８Ａに挿入し係合する凹部係止部１９Ａを有するとともに一端が開口した略Ｃ字状の保持環１９Ｂを有した被係止体である。２０は隙間などの掃除を行う時に使用する隙間ノズルであり、前記被係止体１９の保持環１９Ｂの内径にその外径を係合させて保持される。１４Ａは先端パイプ下方にエラストマー、ゴム、軟質塩化ビニルなどの軟質材で形成された凸部であり、係止体１８上面からＬ１の距離を設けて、Ｗ１の距離を有して左右にそれぞれ配設されている。また、被係止体１９は凹部係止部１９Ａを幅Ｗ２を有して左右に形成するとともに係止体１８の係止部１８Ａとの嵌合代Ｌ２を有し、また壁体１８Ｂに当接するリブ１９Ｃを構成している。前記Ｗ１、Ｌ１はＷ１＞Ｗ２、Ｌ１＜Ｌ２に設定している。
【００１６】
上記構成による作用は以下の通りである。
【００１７】
先端パイプ１４に延長管１３を接続して使用するが、隙間ノズル２０と被係止体１９を延長管１３の係止体１８に係止する時には若干の隙間を有してＷ１＞Ｗ２としていることにより凸部１４Ａ間が被係止体１９の位置決めとなり、先端パイプ１４側から被係止体１９を先端パイプ１４下部に形成した凸部１４Ａ間に入れてそのまま下方へ移動するとそのまま凹部係止部１９Ａが係止部１８Ａに嵌合して係止体１８に係合することができる。さらには、Ｌ１＜Ｌ２としていることにより、凸部１４Ａ間で被係止体１９を位置決めした状態で凹部係止部１９Ａが係止部１８Ａに係合し始めるため、確実に挿入、係合させることができる。また、被係止体１９を係止体１８に係止した後に外れる方向に力が加わってもＬ１＜Ｌ２としていることにより、被係止体１９が凸部１４Ａに当り外れ防止も行うことができる。また、被係止体１９に形成した傾斜面１９Ｄによって係止体１８の係止部１８Ａに対して傾けて凹部係止部１９Ａを挿入することができ、挿入性の向上が図れるものである。また、先端パイプ１４で使用する時に軟質材で形成された凸部１４Ａによって被掃除面への傷付きも防止できるものである。
【００１８】
（実施の形態２）
本発明の第２の実施の形態について、図５〜図１０を用いて説明する。
【００１９】
なお、第１の実施の形態と同一の部品については、同一符号を付与し、説明を省略する。
【００２０】
先端パイプ１４の先端には延長管１３を取り外した時に使用できる吸込具１２１着脱自在に構成している。前記吸込具２１は、パイプ部材２２の略先端下部に位置した回転軸２３によって一端にブラシ２４を植毛した吸口部材としてのブラシホルダー２５をパイプ部材２２に対して回動自在に枢支し、前記ブラシホルダー２５は、パイプ部材２２の外郭上方の位置とブラシホルダー２５の他端をパイプ部材２２の接続口２６に連通させて連通部２５Ａを形成し、パイプ部材２２に対してブラシ２４が一定の角度αを有した位置との間を回動自在に構成している。２７は、ブラシホルダー２５をパイプ部材２２の接続口２６に対して回動突出させて一定の角度αを有する方向に附勢するフックバネであり、パイプ部材２２の下部に設けた穴２８から回動により出没可能なストッパーＡ２９をブラシホルダー２５の下部略中央に形成し、前記穴２８の前壁３０に前記ストッパーＡ２９が当接することによってブラシホルダー２５の回動角度を規制している。この時、フックバネ２７の附勢力（弾性力）はブラシ２４の弾性力と同等もしくは小さく設定している。また、角度αを略６０°に設定していることにより、ブラシ２４と被掃除面の角度は略３０°となり、先端パイプ１４の把手１２と略平行になっている。また、前記ストッパーＡ２９がパイプ部材２２の接続口２６に挿入され、接続される延長管１３の被接続口３１に当接することによってブラシホルダー２５を回動させるとともにパイプ部材２２の外郭上方に位置させ、保持する。３２は延長管１３をパイプ部材２２に接続した時に一端に設けた凸部３３が延長管１３の凹部３４に係合し、延長管１３を保持、固定する尾錠であり、前記尾錠Ａ３２は他端に指で押さえる釦３５を形成するとともに軸３６によって回動自在に構成され、かつ、釦３６近傍に圧縮バネ３７を配置し、圧縮バネ３７によって常に釦３５を上方に附勢、つまり、凸部３３を下方に附勢し、延長管１３の凹部３４に係合させる方向に力を加えている。また、前記尾錠３２は軸３６と釦３５の間に上方に突出した係合部Ａ３８を形成し、ブラシホルダー２５の連通部２５Ａ側に形成した被係合部Ａ３９に係合して図８に示すようにブラシホルダー２５をパイプ部材２２の上方に保持、固定する。４０、４１はブラシホルダー２５がパイプ部材２２上方に位置した時に覆うように収納する外郭右、外郭左であり、ネジＡ４２、ネジＢ４３によってパイプ部材２２２に固定されている。また、外郭右４０、外郭左４１の先端略外周部には、エラストマー、ゴム、軟質塩化ビニルなどの軟質材を材料とするバンパー４４が突出代Ａを有して、またその下部には下方に突出して形成された凸部４４Ａを有し、係止体１８上面からＬ１の距離を設けて、またＷ１の距離を有して左右にそれぞれ配設されている。１９は前記係止体１８の係止部１８Ａに挿入し係合する凹部係止部１９Ａを有するとともに一端が開口し、かつ係合体１９Ｅにより閉蓋される保持環１９Ｂを有した被係止体であり、その内径にホース８の外径を係合させてホース８を保持するものである。また、被係止体１９は凹部係止部１９Ａを幅Ｗ２を有して左右に形成するとともに係止体１８の係止部１８Ａとの嵌合代Ｌ２を有し、また壁体１８Ｂに当��するリブ１９Ｃを構成している。前記Ｗ１、Ｌ１はＷ１＞Ｗ２、Ｌ１＜Ｌ２に設定している。また、ブラシホルダー２５がパイプ部材２２上方に位置した時に外郭右４０、外郭左４１の先端部よりも突出代Ｂを有して若干、ブラシ２４先端部が突出した状態で保持されている。４５はブラシホルダー２５がパイプ部材２２との間に発生する隙間を覆ってブラシホルダー２５とともに連通部２５Ａを形成するカバー体であり、ブラシホルダー２５の回動中心と同軸で回動自在に構成され、ブラシホルダー２５の連通部２５Ａ側に形成された被係合部Ｂ４６、被係合部Ｃ４７と当接係合する係合部Ｂ４８を形成し、ブラシホルダー２５の回動とともに回動する。また、外郭右４０、外郭左４１の尾錠３２配置面には、外郭右４０、外郭左４１に設けた溝部右４９、溝部左５０と係合するリブ５１を形成した外郭上５２を配設して、ネジ４４とともに外郭右４０、外郭左４１の上部の保持、固定を行っている。
【００２１】
上記構成による作用は以下の通りである。
【００２２】
ホース８を収納するときには、被係止体１９を延長管１３の係止体１８に係止するが若干の隙間を有してＷ１＞Ｗ２としていることにより凸部４４Ａ間が被係止体１９の位置決めとなり、吸込具２１側から被係止体１９を吸込具２１下部に形成した凸部４４Ａ間に入れてそのまま下方へ移動するとそのまま凹部係止部１９Ａが係止部１８Ａに嵌合して係止体１８に係合することができる。さらには、Ｌ１＜Ｌ２としていることにより、凸部４４Ａ間で被係止体１９を位置決めした状態で凹部係止部１９Ａが係止部１８Ａに係合し始めるため、確実に挿入、係合させることができる。また、被係止体１９を係止体１８に係止した後に外れる方向に力が加わってもＬ１＜Ｌ２としていることにより、被係止体１９が凸部４４Ａに当り外れ防止も行うことができる。また、被係止体１９に形成した傾斜面１９Ｄによって係止体１８の係止部１８Ａに対して傾けて凹部係止部１９Ａを挿入することができ、挿入性の向上が図れるものである。また、吸込具２１を使用する時に軟質材で形成された凸部４４Ａによって被掃除面への傷付きが防止できるものである。
【００２３】
また、ソファーや壁際、カーテン、テーブル上、また、床用吸込具１５が入らない隙間の掃除の時には、床用吸込具１５とともに、延長管１３の被接続口３１をパイプ部材２２の接続口２６から外す。この時、尾錠３２の釦３３を押して延長管１３をパイプ部材２２から外すと図１０に示すようにパイプ部材２２の先端に配置した吸込部材としてのブラシホルダー２５の係合部Ａ３８と尾錠３２の被係合部Ａ３９による係合が外れるとともに、ストッパーＡ２９が延長管１３の被接続口３１との当接がなくなることにより、パイプ部材２２上方に位置していたブラシホルダー２５がフックバネ２７の附勢力によって接続口２６側に回動し、ストッパーＡ２９が穴２８の前壁３０に当接してブラシ２４がパイプ部材２２に対して一定の角度αを有した状態まで回動する。したがってこの状態ですぐ吸込具２１としてソファーや壁際などの掃除が可能になる。また、フックバネ２７による附勢力によってブラシ２４が常に被掃除面側に附勢されていることにより、被掃除面への密着性が良く、塵埃の除去が効率的に行えるとともに、先端パイプ１４に対する被掃除面の角度が変わってもブラシ２４面が被掃除面に沿って回動することにより、把手１２の角度を変える必要がなく、使用性が向上し、かつ、掃除性能も向上するものである。
【００２４】
また、ブラシホルダー２５がパイプ部材２２側に移動する方向に大きな力が加わっても外郭右４０、外郭左４１の先端略外周に軟質材で形成されたバンパー４４を配置しているので被掃除面への傷つきが防止できる。さらには、ブラシ２４が外郭右４０、外郭左４１内に収納された状態でブラシ２４先端部が外郭右４０、外郭左４１より突出していることにより、被掃除面への傷付きがより防止できるとともにその収納状態でもブラシ２４による簡単な掃除が可能であり、さらにはブラシ２４が外郭右４０、外郭左４１に突っかかって出てこないなどの不具合も防止できるものである。また、ブラシ２４の角度αを６０°に設定していることにより、ブラシ２４先端面が把手１２と略平行になり、自然な姿勢で把手１２が移動でき、楽に掃除が行える。
【００２５】
次に、ブラシ２４収納する時や、延長管１３をパイプ部材２２に接続する時には、ブラシ２４の弾性力がフックバネ２７の附勢力（弾性力）と同等以上に設定していることから、図１０に示すようにブラシ２４を被掃除面に押し付け、先端パイプ１４をＣ方向に回転させ、ブラシホルダー２５を回動させることにより、被係合部Ａ３９が尾錠３２の係合部Ａ３８に係合して、ブラシホルダー２５がパイプ部材２２の上方に位置して保持され、外郭右４０、外郭左４１の中に容易に収納されてパイプ部材２２の接続口２６に延長管１３の被接続口３１が容易に挿入でき、図６、図８に示すように延長管１３に接続できるものである。また、外郭右４０、外郭左４１の中にブラシホルダー２５とカバー体４５とブラシ２４の大部分が収納されることにより、収納状態で汚れやすいブラシホルダー２５やブラシ２４などに触れにくく、また、見た目にも汚れが目立たないため、衛生的である。
【００２６】
また、ブラシホルダー２５が一定の角度αに位置した時にブラシホルダー２５とパイプ部材２２との間に発生する隙間を覆うカバー体４５を配設することにより、ブラシホルダー２５を大きくすること無く、パイプ部材２２との間に連通部２５Ａを形成することができ、ブラシホルダー２５の回動角度αを大きくして掃除範囲を拡大しても小型の吸込具２１が提供できる。
【００２７】
したがってソファーや壁際などを掃除する時に使用する吸込具２１の取付け、取り外しをする必要がなく、また、塵埃を吸込んだ吸込具２１やブラシ２４に触れること無く、延長管１３の着脱動作や掃除動作と連動して吸込具２１の使用状態、収納状態が選択でき、使用性が著しく向上するとともに清潔で収納性に優れ、かつ、掃除性能の優れた吸込具２１を提供でき、多大な効用を得ることができるものである。
【００２８】
また、本発明の構成は本実施の形態に限定されるものでは無い。
【産業上の利用可能性】
【００２９】
以上のように、本発明にかかる電気掃除機は、延長管に配設された係止体への被係止体の装入が容易となるとともに先端パイプ、吸込具で使用する時にも軟質材で形成された凸部が被掃除面に当り、日掃除面への傷付きも防止でき、使用性の向上が図れ、非常に有効である。
【図面の簡単な説明】
【００３０】
【図１】本発明の実施の形態１を示す電気掃除機の全体斜視図
【図２】同要部斜視図
【図３】同要部側面図
【図４】同要部正面図
【図５】本発明の実施の形態２を示す電気掃除機の全体斜視図
【図６】同要部側面図
【図７】同要部斜視図
【図８】同要部断面図
【図９】同要部正面図
【図１０】同使用状態における斜視図
【符号の説明】
【００３１】
１３  延長管
１４  先端パイプ
１４Ａ  凸部
１８  係止体
１８Ａ  係止部
１８Ｂ  壁体
１９  被係止体
１９Ａ  凹部係止部
１９Ｂ  保持環
１９Ｃ  リブ
１９Ｄ  傾斜面
１９Ｅ  係合体
２１  吸込具
４４Ａ  凸部
【図１】
2007021059.tif 000003
【図２】
2007021059.tif 000004
【図３】
2007021059.tif 000005
【図４】
2007021059.tif 000006
【図５】
2007021059.tif 000007
【図６】
2007021059.tif 000008
【図７】
2007021059.tif 000009
【図８】
2007021059.tif 000010
【図９】
2007021059.tif 000011
【図１０】
2007021059.tif 000012